(57)【要約】  【課題】商品が立直状態であってもフラップ開閉に必要な押圧力を低減することができるため商品を取出口まで搬出することができ、コストを抑制することができ、また、安定した冷却・加温性能を得ることができ、サービス時にオペレータによる作業性を向上できる自動販売機の商品搬出装置を提供する。  【解決手段】商品収納部１０２と取出口１０４の間に傾斜して配されたシュート１０６を備える自動販売機において、フラップ１０８上方の左右に設けられた軸部１０８ａと、開口部１０７ａ上方の左右に設けられた長穴形状且つ前後方向に傾斜した軸受部１０７ｂに挿通保持され、商品搬出動作時において商品押圧力によりフラップ１０８の軸部１０８ａが軸受部１０７ｂの長穴形状に沿ってスライドする様構にしたことにより、商品がシュート上で立直した場合でも商品を取出口まで搬出できる。【選択図】図２
2009037586.tif 000002
【特許請求の範囲】
【請求項１】
商品払出装置を備えた商品収納室と、前記商品収納室と取出口の間に開閉自在な内扉と、前記商品収納室から搬出される商品を前記取出口方向に傾斜して配されたシュートと、前記シュートから案内された商品を前記内扉内方から外方に開口した開口部と、前記開口部は通常閉じており商品が通過する際に開閉可能なフラップとを備える自動販売機において、前記フラップ上方の左右に設けられた軸部と、前記内扉に設けられ前記軸部を支持する軸受部を備え、前記軸部は前記開口部内で前後方向に移動可能に前記軸受部に支持されることを特徴とする自動販売機。
【請求項２】
前記軸受部の内方にフラップの軸部がスライドする方向に沿って凸部を設けたことを特徴とする請求項１に記載の自動販売機。
【請求項３】
前記軸受部の内方且つ凸部近傍に上下方向の開口部を設けたことを特徴とする請求項２に記載の自動販売機。
【請求項４】
前記フラップ上方左右に設けられた前記軸部の外周かつ前記軸部の中央付近に円周方向に向かって凸部を設けたことを特徴とする請求項１に記載の自動販売機。
【請求項５】
前記軸受部の内方且つ前記軸受部の下面に上下方向の開口部を設けたことを特徴とする請求項１または４に記載の自動販売機。
【請求項６】
前記フラップの断面形状の曲率半径が前記フラップの上方から下方に向うにつれて大きくなるように形成したことを特徴とする請求項１、４、５のいずれか一項に記載の自動販売機。
【請求項７】
前記フラップの断面形状の肉厚が前記フラップの上方から下方に向かうにつれて厚みが小さくなるよう形成したことを特徴とする請求項１、４、５、６のいずれか一項に記載の自動販売機。
【発明の詳細な説明】
【技術分野】
【０００１】
本発明は、商品払出装置を備えた商品収納室から搬出された商品を商品シュートを介して商品取出口に送出する自動販売機に関するものである。
【背景技術】
【０００２】
従来、この種の自動販売機は、商品の多収容化等に伴い商品収納部が大きなスペースを有している。また、一般に商品収納部から搬出される商品は、商品収納部と取出口の間に傾斜して配されたシュート上を滑降または転動して取出口まで誘導されるため、商品収納部の下端より取出し口の間に落差を必要とする。
【０００３】
また、商品が取出口へ誘導される際、断熱を目的として構成された断熱壁に設けられた任意の大きさの開口部を通過しなければならず、この開口部へ商品を寄せ集めるために、シュート上に商品誘導部材が設けられている。通常、商品が商品収納室から搬出されると、横倒し状態でシュート上を滑走または転動して取出口まで案内される。
【０００４】
しかしながら、自動販売機で販売する商品は多種、様々な形状のものがあり、これらの商品の中には、シュート上で立直しやすいものがあるため、安定した搬出性能を得るためにはシュート上で横倒しにする必要があった。
【０００５】
従来、この種の自動販売機は、シュート上の商品を横倒し状態で取出口まで案内するために、ダンパ機構を備えたものがある（例えば、特許文献１参照）。
【０００６】
図９は、参考文献１に記載された従来の自動販売機を示すものである。図９において、自動販売機１の図示しない内側天井部に吊り下げられ横方向に複数並ぶ商品収納室２と自動販売機１前面下部に設けられた取出口３との間に商品収納室２より搬出された商品４が滑降または転動する様に傾斜して配されたシュート５を備えている。商品収納室２下端には、複数の商品払出装置６を備えており、それぞれの商品払出装置６とシュート５の間には、姿勢制御板７が設けられている。
【０００７】
以上のように構成された自動販売機の商品搬出装置について、以下その動作を説明する。
【０００８】
販売指令に従って商品払出装置６より商品４が落下搬出されると、商品４は自由落下を始め、途中、姿勢制御版７にて落下速度を制限された後、再び自由落下後、商品案内シュート５面に到達するため、シュート５面での商品４の落下衝撃が姿勢制御板７により緩衝される仕組みとなっている。シュート５面に到達した商品４は、シュート５面に沿って滑降または転動して取出口３に搬出される。
【特許文献１】特開２００１−０３６０７１号公報
【発明の開示】
【発明が解決しようとする課題】
【０００９】
しかしながら、上記従来の構成は、商品収納部に設けられた複数の商品払出装置毎に１つあるいは２つの姿勢制御板をそれぞれ設けなければならないため、扱う商品の種類が多い自動販売機ほどコストアップとなる。また、姿勢制御板は、商品搬出装置より搬出され自由落下する商品を確実に受止め緩衝するために待機状態においてはほぼ水平方向に配されるため、商品搬出装置の下部が塞がれた状態となる。
【００１０】
このため、一般的に、図示しないシュート面上に設けられた複数の通気孔より冷風または温風を噴出し、商品を冷却または加温するにあたり、商品の温度ばらつきまたは、商品温度の安定までに時間がかかるなどの欠点があった。また、サービス時（特に商品払出装置の保守、点検等）に、姿勢制御版を開放状態に固定する等の処置が必要であり、オペレータによる作業性が悪かった。
【００１１】
本発明は、この課題を解決するもので、商品が立直状態であってもフラップ開閉に必要な押圧力を低減することができるため商品を取出口まで搬出することができ、姿勢制御板を設ける必要がないためコストを抑制することができ、また、安定した冷却・加温性能を得ることができ、サービス時（特に商品払出装置の保守、点検等）にオペレータによる作業性を向上できる自動販売機の商品搬出装置を提供することを目的とする。
【課題を解決するための手段】
【００１２】
上記従来の課題を解決するために、本発明の自動販売機は、商品払出装置を備えた商品収納室と、前記商品収納室と取出口の間に開閉自在な内扉と、前記商品収納室から搬出される商品を取出口方向に案内する様傾斜して配されたシュートと、前記シュートから案内された商品を前記内扉内方から外方に送出する様開口した開口部と、前記開口部は通常閉じており商品が通過する際に開閉可能なフラップとを備える自動販売機において、前記フラップ上方の左右に設けられた軸部と、前記開口部上方の左右に設けられた長穴形状且つ前後方向に傾斜した軸受部に挿通保持され、商品搬出動作時において商品押圧力によりフラップの軸心が軸受部の長穴形状に沿ってスライドする様構にしたことを特徴としている。
【００１３】
このことから、商品払出時に商品がシュート上で立直した場合でも商品の押圧力によりフラップの軸部が軸受部の長穴形状に沿ってスライドするため、商品接触点とフラップ軸心との距離が大きくなるため、フラップの開閉力を低減することができる。このことから商品を取出口まで搬出することができ、姿勢制御板を設ける必要がないためコストを抑制することができる。
【００１４】
また、安定した冷却・加温性能を得ることができ、サービス時（特に商品払出装置の保守、点検等）にオペレータによる作業性を向上できる。
【発明の効果】
【００１５】
本発明の自動販売機は、商品が立直した場合であっても商品の押圧力によりフラップの軸部が軸受部の長穴形状に沿ってスライドするため、商品接触点とフラップ軸心との距離が大きくなるため、フラップの開閉力を低減することができる。このため商品を取出口まで搬出することができ、姿勢制御板を設ける必要がないためコストを抑制することができ、また、安定した冷却・加温性能を得ることができ、サービス時（特に商品払出装置の保守、点検等）にオペレータによる作業性を向上できる。
【発明を実施するための最良の形態】
【００１６】
請求項１に記載の発明は、商品払出装置を備えた商品収納室と、前記商品収納室と取出口の間に開閉自在な内扉と、前記商品収納室から搬出される商品を前記取出口方向に傾斜して配されたシュートと、前記シュートから案内された商品を前記内扉内方から外方に開口した開口部と、前記開口部は通常閉じており商品が通過する際に開閉可能なフラップとを備える自動販売機において、前記フラップ上方の左右に設けられた軸部と、前記内扉に設けられ前記軸部を支持する軸受部を備え、前記軸部は前記開口部内で前後方向に移動可能に前記軸受部に支持されることにより、商品払出時に商品がシュート上で立直した場合でも商品の押圧力によりフラップの軸部が軸受部の形状に沿ってスライドするため、商品接触点とフラップ軸心との距離が大きくなるため、フラップの開閉力を低減することができる。
【００１７】
このため商品を取出口まで搬出することができ、姿勢制御板を設ける必要がないためコストを抑制することができ、また、安定した冷却・加温性能を得ることができ、サービス時（特に商品払出装置の保守、点検等）にオペレータによる作業性を向上できる。
【００１８】
また、請求項２に記載の発明は、請求項１に記載の発明に加えて、前記軸受部の内方に前記フラップの前記軸部がスライドする方向に沿って凸部を設けたことにより、フラップの軸部は凸部との接触により、接触面積を小さくすることで、滑り性能が向上するため、安定した性能を得ることができる。
【００１９】
また、請求項３に記載の発明は、請求項２に記載の発明に加えて、前記軸受部の内方且つ前記凸部近傍に上下方向の開口部を設けたことにより、長期使用における粉塵等は軸受部内方から開口部を通って外方へと退散するため、蓄積を回避することができ、長期使用時でも清掃等のメンテナンスが不要であり、安定した性能を維持することができる。
【００２０】
また、請求項４に記載の発明は、請求項１に記載の発明に加えて、前記フラップ上方左右に設けられた前記軸部の外周かつ前記軸部の中央付近に円周方向に向かって凸部を設けたことにより、前記フラップの前記軸部の前記凸部と前記軸受部はとの接触により、接触面積を小さくすることで、前記フラップの前記軸部と前記軸受部との間の滑り性能が向上するため、安定した性能を得ることができる。
【００２１】
また、請求項５に記載の発明は、請求項１または４に記載の発明に加えて、前記軸受部の内方且つ前記軸受部の下面に上下方向の開口部を設けたことにより、長期使用における粉塵等は軸受部内方から開口部を通って外方へと退散するため、蓄積を回避することができ、長期使用時でも清掃等のメンテナンスが不要であり、安定した性能を維持することができる。
【００２２】
また、請求項６に記載の発明は、請求項１、４、５のいずれか一項に記載の発明に加えて、前記フラップの断面形状の曲率半径が前記フラップの上方から下方に向かうにつれて大きくなる様形成したことにより、商品が立直状態であっても前記フラップに前記商品が当接する瞬間のフラップ開閉に必要な押圧力を低減することができるため安定して商品を取出口まで搬出をすることができる。
【００２３】
また、請求項７に記載の発明は、請求項１、４、５、６のいずれか一項に記載の発明に加えて、前記フラップの断面形状の肉厚が前記フラップの上方から下方に向かうにつれて厚みが小さくなるよう形成したことにより、前記フラップの重心位置が前記軸部へ近づくことにより、前記フラップの強度を保つと共に、商品が立直状態であってもフラップ開閉に必要な押圧力を低減することができるため安定して商品を取出口まで搬出することができる。
【００２４】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２５】
（実施の形態１）
図１は、本発明の実施の形態１における自動販売機の側面図（略上部）である。図２は、本発明の実施の形態１における自動販売機の要部側面図である。図４は、本発明の実施の形態１における自動販売機の要部側面図である。図５は、本発明の実施の形態１における自動販売機に要部斜視図である。
【００２６】
図１において、自動販売機１０１の図示しない内側天井部に吊り下げられ左右方向に複数並設され、かつ前後方向にも複数並設された商品収納室１０２と、商品収納室１０２下部に備えられた商品払出装置１０３と、自動販売機１０１前面下部に設けられた取出口１０４と、商品収納室１０２の下方に傾斜して備えられ、商品払出装置１０３より搬出された商品１０５を取出口１０４へ案内するシュート１０６を備えている。また、商品収納室１０２と取出口１０４の間に開閉自在な内扉１０７が設けられ、内扉１０７にはシュート１０６により案内された商品１０５を取出口１０４側へ通過させるための開口部１０７ａと回動自在に軸支されたフラップ１０８が設けられ、フラップ１０８は商品１０５の通過以外は開口部１０７ａを閉じるよう備えられている。
【００２７】
図２は、開口部１０７ａとフラップ１０８の構成を示しており、フラップ１０８の上方の左右に軸部１０８ａが設けられ、開口部１０７ａの上方の左右に設けられた長穴形状且つ前後方向に傾斜した軸受部１０７ｂに挿通保持されている。商品搬出動作時において商品押圧力によりフラップ１０８の軸部１０８ａが軸受部１０７ｂの長穴形状に沿ってスライドおよび回動自在に軸支された様構となっており、フラップ１０８は商品１０５の通過以外は軸受部１０７ｂの傾斜に沿ってフラップ１０８の軸部１０８ａはスライドし開口部１０７ａ側へ待機および開口部１０７ａを閉じるよう構成されている。
【００２８】
以上のように構成された自動販売機について、以下その動作、作用を説明する。
【００２９】
商品１０５搬出時には任意の商品払出装置１０３作動により、商品１０５は商品収納室１０２の下積みの方から１個だけ搬出される。この時商品１０５はシュート１０６に接触するまで自由落下し、それ以降は、商品１０５はシュート１０６上を滑降または転動し、取出口１０４の方に誘導される。この、商品１０５がシュート１０６上を滑降または転動して取出口１０４まで誘導される過程について以下説明する。
【００３０】
商品払出装置１０３作動により搬出された商品１０５がシュート上を移動する場合においては、通常横倒し状態であり、シュート１０６上を滑降または転動して内扉１０７の開口部１０７ａに誘導されフラップ１０８を開動して取出口１０４まで搬出される。この商品１０５の搬出過程では多数の誘導形態があるが、商品払出装置１０３から搬出された商品１０５がシュート１０６上を立直して滑降する場合がある。
【００３１】
まず、図３のように、従来の自動販売機では、シュート１０６上を商品１０５が立直して滑降する場合、商品１０５がフラップ１０８の軸部１０８ａ近傍（Ａ寸法が小さな位置）に押圧力を加えてフラップ１０８を押し広げなければならず、フラップ１０８を回動しきれずシュート１０６上で商品１０５が残るリスクがあった。
【００３２】
図４のように本実施の形態では、シュート１０６上を商品１０５が立直して滑降する場合、商品１０５がフラップ１０８に当接する位置に達した時点で、商品１０５による押圧力がフラップ１０８に生じる。この押圧力により、フラップ１０８の軸部１０８ａ位置は軸受部１０７ｂに沿って、前方にスライドする。
【００３３】
前方にスライドすることにより、商品１０５とフラップ１０８の接触点から、フラップ１０８の軸心までの距離が大きくなる（Ａ´＞Ａ）ため、フラップ１０８を開動するのに必要な押圧力を低減することができる。このため、商品１０５が立直した状態でシュート１０６上を滑降してきた場合であっても、フラップ１０８を開動することができ、商品１０５を取出口１０４まで搬出することができる。
【００３４】
図５のように軸受部１０７ｂの内方にフラップ１０８の軸部１０８ａがスライドする方向に沿って凸部１０９を設けることにより、フラップ１０８の軸部１０８ａと軸受部１０７ｂとの接触面積を減らすことにより、滑り性が向上し、安定した性能を得ることができる。
【００３５】
また、凸部１０９の両側に開口部１１０を設けることにより、長期使用において、粉塵等の蓄積を抑制することができ、清掃等のメンテナンスが不要であり長期にわたって性能を維持することができる。
【００３６】
（実施の形態２）
図１は、本発明の実施の形態２における自動販売機の側面図（略上部）である。
【００３７】
図１において、自動販売機１０１の図示しない内側天井部に吊り下げられ左右方向に複数並設され、かつ前後方向にも複数並設された商品収納室１０２と、商品収納室１０２下部に備えられた商品払出装置１０３と、自動販売機１０１前面下部に設けられた取出口１０４と、商品収納室１０２の下方に傾斜して備えられ、商品払出装置１０３より搬出された商品１０５を取出口１０４へ案内するシュート１０６を備えている。
【００３８】
また、商品収納室１０２と取出口１０４の間に開閉自在な内扉１０７が設けられ、内扉１０７にはシュート１０６により案内された商品１０５を取出口１０４側へ通過させるための開口部１０７ａと回動自在に軸支されたフラップ１０８が設けられ、フラップ１０８は商品１０５の通過以外は開口部１０７ａを閉じるよう備えられている。
【００３９】
図６は、開口部１０７ａとフラップ１０８の構成を示しており、フラップ１０８の上方の左右に軸部１０８ａが設けられ、開口部１０７ａの上方の左右に設けられた長穴形状且つ前後方向に傾斜した軸受部１０７ｂに挿通保持されている。フラップ１０８の断面形状の曲率半径（ρ１＜ρ２＜・・・＜〜ρｎ）はフラップ１０８の上方から下方に向かうにつれて大きくなるように形成されている。
【００４０】
また、フラップの断面形状の肉厚（ｔ１＞ｔ２＞・・・＞Ｔｎ）は、商品１０５がフラップ１０８に当接して回動する際に曲げモーメントなどの力が加わりやすいフラップ１０８の上方の厚みに対し、それらの影響が小さいフラップ１０８の下方に向かうにつれて厚みが小さくなるよう形成されている。商品搬出動作時において商品押圧力によりフラップ１０８の軸部１０８ａが軸受部１０７ｂの長穴形状に沿ってスライドおよび回動自在に軸支された様構となっており、フラップ１０８は商品１０５の通過以外は軸受部１０７ｂの傾斜に沿ってフラップ１０８の軸部１０８ａはスライドし開口部１０７ａ側へ待機および開口部１０７ａを閉じるよう構成されている。
【００４１】
以上のように構成された自動販売機について、以下その動作、作用を説明する。
【００４２】
商品１０５搬出時には任意の商品払出装置１０３作動により、商品１０５は商品収納室１０２の下積みの方から１個だけ搬出される。この時商品１０５はシュート１０６に接触するまで自由落下し、それ以降は、商品１０５はシュート１０６上を滑降または転動し、取出口１０４の方に誘導される。この、商品１０５がシュート１０６上を滑降または転動して取出口１０４まで誘導される過程について以下説明する。
【００４３】
商品払出装置１０３作動により搬出された商品１０５がシュート上を移動する場合においては、通常横倒し状態であり、シュート１０６上を滑降または転動して内扉１０７の開口部１０７ａに誘導されフラップ１０８を開動して取出口１０４まで搬出される。この商品１０５の搬出過程では多数の誘導形態があるが、商品払出装置１０３から搬出された商品１０５がシュート１０６上を立直して滑降する場合がある。
【００４４】
まず、図３のように、従来の自動販売機では、シュート１０６上を商品１０５が立直して滑降する場合、商品１０５がフラップ１０８の軸部１０８ａ近傍（Ａ寸法が小さな位置）に押圧力を加えてフラップ１０８を押し広げなければならず、フラップ１０８を回動しきれずシュート１０６上で商品１０５が残るリスクがあった。
【００４５】
図７のように本実施の形態では、シュート１０６上を商品１０５が立直して滑降する場合、商品１０５がフラップ１０８に当接する位置に達した時点で、商品１０５による押圧力がフラップ１０８に生じる。この押圧力により、フラップ１０８の軸部１０８ａ位置は軸受部１０７ｂに沿って、前方にスライドする。前方にスライドすることにより、商品１０５とフラップ１０８の接触点から、フラップ１０８の軸心までの距離が大きくなる（Ａ´＞Ａ）ため、フラップ１０８を開動するのに必要な押圧力を低減することができる。
【００４６】
一方、フラップ１０８の断面形状の曲率半径はフラップ１０８の上方から下方に向かうにつれて大きくなるように形成されているため、フラップ１０８に生じる入射角が変わることでフラップ１０８を開ける方向の力に分散され、商品１０５が立直状態であってもフラップ１０８に商品１０５が当接する瞬間のフラップ１０８開閉に必要な押圧力を低減することができる。
【００４７】
また、フラップ１０８の断面形状の肉厚がフラップ１０８の上方から下方に向かうにつれて厚みが小さくなるよう形成したことにより、フラップ１０８の強度を保つと共に、フラップ１０８の重心位置が軸部１０８ａへ近づくことになり、商品１０５が立直状態であってもフラップ１０８開閉に必要な押圧力を低減することができるため安定して商品１０５を取出１０４口まで搬出することができる。このため、商品１０５が立直した状態でシュート１０６上を滑降してきた場合であっても、フラップ１０８を開動することができ、商品１０５を取出口１０４まで搬出することができる。
【００４８】
図８のようにフラップ１０８上方に設けられた軸部の外周かつ軸部１０８ａの中央付近に円周方向に沿って凸部１１１を設けたことにより、フラップ１０８の軸部１０８ａの凸部１１１と軸受部１０７ｂとの間の滑り性が向上するため、安定した性能を得ることが出来る。また、軸受部１０７ｂの内方かつ軸受部１０７ｂの下面に上下方向の開口部１１２を設けたことにより、長期使用における粉塵等は軸受部１０７ｂ内方から開口部１１２を通って外方へと退散するため、これらの蓄積を回避することができ、長期使用時でも清掃等のメンテナンスが不要であり、安定した性能を維持することができる。
【産業上の利用可能性】
【００４９】
以上のように、本発明にかかる自動販売機は、商品払出時に商品がシュート上で立直した場合でも商品を取出口まで搬出できるため、商品の立直を抑制するための姿勢制御板を設ける必要がないためコストを抑制することができ、また、安定した冷却・加温性能を得ることができ、サービス時（特に商品払出装置の保守、点検等）にオペレータによる作業性を向上できるので、缶飲料等の商品の自動販売機に適している。
【図面の簡単な説明】
【００５０】
【図１】本発明の実施の形態１における自動販売機の側面図
【図２】本発明の実施の形態１における自動販売機の要部側面図
【図３】従来の自動販売機による動作説明図
【図４】本発明の実施の形態１における自動販売機の要部側面図
【図５】本発明の実施の形態１における自動販売機に要部斜視図
【図６】本発明の実施の形態２における自動販売機の要部側面図
【図７】本発明の実施の形態２における自動販売機の要部側面図
【図８】本発明の実施の形態２における自動販売機の要部斜視図
【図９】従来の自動販売機の側面図
【符号の説明】
【００５１】
１０１  自動販売機
１０２  商品収納室
１０３  商品払出装置
１０４  取出口
１０５  商品
１０６  シュート
１０７  内扉
１０７ａ  開口部
１０７ｂ  軸受部
１０８  フラップ
１０８ａ  軸部
１０９  凸部
１１０  開口部
【図３】
2009037586.tif 000003
【図６】
2009037586.tif 000004
【図７】
2009037586.tif 000005
【図８】
2009037586.tif 000006
【図１】
2009037586.tif 000007
【図２】
2009037586.tif 000008
【図４】
2009037586.tif 000009
【図５】
2009037586.tif 000010
【図９】
2009037586.tif 000011